(57)【要約】      （修正有）【課題】皮膚に栄養を与え、乾燥を防ぐために肌にやさしい、抗菌肌に優しい使い捨て製品を提供する。【解決手段】本体を備える抗菌肌に優しい使い捨て製品であって、本体の皮膚に接触する部分の外面又は本体の外面全体が、シルクプロテイン複合コーティングで被覆されている。本体が表面層７０１、吸収層７０２及び外側層７０３からなる積層構造であり、吸収層７０２は、外側層７０３と表面層７０１の間に配置される。表面層７０１がエンボス加工されている。本体がパッド、生理用ナプキン、紙おむつ、マットレス、マスクまたはフェイスマスクであり、シルクプロテインでコーティングされ、皮膚に栄養を与え、肌にやさしい。【選択図】図４
0003192225.tif 000002
【実用新案登録請求の範囲】
【請求項１】
肌の外表面全体に接触するボディ用品を含む肌にやさしい抗菌製品であって、皮膚やシルクタンパク質の複雑なコーティングで本体部分の外面が被覆されていることを特徴とする抗菌肌に優しい使い捨て製品。
【請求項２】
表面層、吸収層及び外側層からなる積層構造であり、前記吸収層は、前記外側層と前記表面層間に配置されることを特徴とする請求項１に記載の抗菌肌に優しい使い捨て製品。
【請求項３】
前記表面層がエンボス加工のデザインであることを特徴とする請求項２に記載の抗菌肌に優しい使い捨て製品。
【考案の詳細な説明】
【技術分野】
【０００１】
本考案は、生活必需品の分野に関し、より具体的には使い捨ての抗細菌皮膚にやさしい製品にも関する。
【背景技術】
【０００２】
人々の生活水準が向上し続けており、現在の現象は、特に供給のため、ますます高い要求、直接人々の皮膚と接触している肌にやさしい製品は、その肌にやさしい人々が日常生活で使用、また、ますます深刻な大気汚染で電源は直接ユーザーに多くの問題を持って、人々のような低品質などの女性のパッド、生理用ナプキン、などの物理的および精神的な健康状態は、皮膚アレルギー、湿疹や他の皮膚疾患と同様、生殖器の炎症につながる品質を決定、赤ちゃんのおむつなど低品質などの変化マットなどが、幼児や子供に痛みを伴う皮膚アレルギー、湿疹や他の皮膚疾患や炎症につながるだけでなく、両親は非常に懸念している、長期寝たきりの患者や単に終わった手術患者ではなく1歳の乳児などは、あなたが柔らかく、乾燥していない場合、皮膚部位と看護のパッド、およびその直接接触を使用する必要はなく、タイムリーな交換は、不快な臭いを持つことになり、既存の看護パッドもゆっくりと吸収率が、吸収能力はあまり汚れは、オーバーフロー、保護なし、殺菌効果が良い。
【０００３】
シルクプロテインは、グリシン、アラニンを含むアミノ酸の18種類が含まれてセリンが70％を占めており、著名な機能的な栄養素である、広く医薬、食品、化粧品、皮革や生地に使用されている。シルクプロテイン複合コーティング高い栄養価だけでなく、肌を保湿しているだけでなく、酸素阻害の細菌を防ぐため、このような彼らのアプリケーションで肌に優しい製品として酸生産菌の有効性、および非常に肌に優しいを向上させることができます電源は効率を使用している。
【考案の開示】
【考案が解決しようとする課題】
【０００４】
本考案は、使用、皮膚の栄養、喜びの後にもっと乾燥細菌を防ぐため、肌に栄養を与える使い捨て抗菌肌にやさしい製品を提供するために、従来技術の欠点のために設計されている。
【課題を解決するための手段】
【０００５】
実用的な対策を解決するための新しい技術は、次のとおりです:
ボディ用品を含む使い捨ての肌にやさしい抗菌製品は、外面の本体部分の皮膚やシルクタンパク質の複雑なコーティングで被覆され、本体電源の外表面全体に接触している記事は述べています。
【０００６】
有利には、記事の本文は、表面層、吸収層及び外側層からなる積層構造であり、前記吸収層を表面層と外側層、および消耗品の本体四週間気密接続の外面との間に配置される。
【０００７】
有利には、エンボス加工のデザインの表面。
【０００８】
有利には、吸収層は、吸収紙、パルプとポリマー吸着樹脂を含む。
【０００９】
本考案は、そのような利点があります。
本考案は、身体の皮膚又は外面に接触する身体の部分に供給する外表面全体が絹タンパク質複合コーティングの層で被覆されている供給し、パッド、生理用ナプキン、オムツ、マットレス、マスクまたはマスクのために身体を供給し、外面を作るシルクプロテインの特殊な性質は、皮膚、細菌の影響の防止を保湿とシルクプロテイン製品でコーティングされているとしても、後には、栄養と快適な乾いた肌に使用します。
【図面の簡単な説明】
【００１０】
【図１】パッドの新しいユーティリティの概略ブロック図である。
【図２】生理用ナプキンの新しいユーティリティの概略ブロック図である。
【図３】おむつの新しいユーティリティ概略ブロック図である。
【図４】マットレスの新しいユーティリティの概略ブロック図である。
【図５】マスクの新しいユーティリティ概略ブロック図である。
【図６】新しいマスクの効用概略ブロック図である。
【考案を実施するための形態】
【００１１】
後述の本考案は、好ましい実施形態であり、権利範囲を限定するものではない。
【００１２】
実施例1は、図1の使い捨て肌に優しい物品の細菌を参照して全体の外でも新しいパッド1は、コーティング層2被覆された絹タンパク質複合体の外表面の皮膚に接触するパッド本体部であるが、コーティングされた絹タンパク質複合コーティング、シルクプロテインセリシンペプチド、アミノ酸セリシン、フィブロインシルクフィブロインペプチドまたはアミノ酸。表面101から、吸収層102および外側層103が形成された層状構造を有するパッド本体は、エンボス加工された表面は、吸収速度を向上させるセキュリティ保護の不要な洗浄を低減前記吸収層が設けられている前記外面と吸収層との間には、吸収紙、パルプとポリマー吸収樹脂組成物、より高速なポリマー性樹脂から構成され、複数の液体ロックすることができ、PEフィルムの外側層の外側に液体吸収層を防止するベントは、気密接続のパッド本体面と外側の4週間と述べた。シルクプロテインが肌に栄養を与えるために、アミノ酸が含まれており、コントロールを持って、そのソフトタッチ、肌に優しい、使用後はもっと乾いた好気性細菌、酸産生菌の効果を阻害し、皮膚の栄養と快適性を提供する。
【００１３】
実施例2は、図2、使い捨て抗菌肌にやさしい製品は、生理用ナプキンコーティングシルクプロテイン複合コーティング4の外表面の皮膚部分に接触しただけでなく、全体の生理用ナプキンでは、新たな生理用ナプキン3であることがわかり複合コーティングの外面は、絹タンパク質、シルクセリシンタンパク質ペプチド、アミノ酸セリシン、フィブロインシルクフィブロインペプチドまたはアミノ酸、表面層301、吸収層302および外側部品303で構成されて層状構造を有する生理用ナプキンで被覆されている。エンボス加工された表面は、セキュリティ保護の不要な洗浄を低減、吸収速度を向上させる吸収層を表面層と外側層との間に配置され、前記吸収層は、吸収紙、パルプとポリマー吸収樹脂からなるより速く、そしてより多くの液体をロックすることができ、高分子吸水樹脂、PEフィルムの外側の層、液体吸収層は、漏れを防止し、表面層とナプキン4週間気密接続の外側の層。新しい生理用ナプキンは、また使用後は、より乾燥した女性は、栄養と快適な肌を月経のために、実際には、酸産生菌を酸素阻害菌を防ぐ、肌に栄養を与えています。
【００１４】
実施例3は、図3に、使い捨ての抗菌肌にやさしい製品を見て、新しいおむつはおむつコーティングシルクプロテイン複合コーティング6の外表面の皮膚に接触すると5部であるだけでなく、おむつの外表面全体にあり複合コーティングは、コーティングされた絹タンパク質、絹タンパク質セリシンペプチド、アミノ酸セリシン、フィブロインシルクフィブロインペプチドまたはアミノ酸、おむつの外面はシルクタンパク質でコーティングされている製造は他にも、細菌作用を防ぐ、皮膚に栄養を与えている幼児や使用後、より乾燥した、子ども若者、栄養と快適な肌。
【００１５】
実施例4は、図4を参照して、使い捨て肌に優しい細菌は7新しいマットレス、701表面層、吸収層702および外側層703に形成さから構成される層状構造を有するマットレス本体で供給する絹タンパク質複合体被覆8と、エンボス加工された表面の層で覆われ、吸収層を表面層と外側層との間に配置され、前記吸収層を吸収紙、パルプとポリマー吸収樹脂、より高速な高分子吸水性樹脂とで形成されているより多くの液体をロックすることができ、PEフィルムの外層、液体吸収層は、漏れを防止し、表面層とマットレスボディ4週間気密接続の外側の層。シルクプロテインは、肌に栄養を与えるために、アミノ酸が含まれており、そのソフトタッチ、肌にやさしい。エンボス加工された表面を効果的に吸収速度を向上させる不必要な洗浄を削減し、セキュリティ保護をもたらす。寝たきり患者、マットレス付き尿渡る高齢者、子供たちのために主に使用。
【００１６】
実施例5は、図5に、使い捨ての抗菌肌にやさしい製品は、新しいマスク9で、マスクの外表面全体が複合コーティングで10シルクプロテイン、シルクプロテインセリシンペプチド、セリシンをコーティングされている参照してくださいマスクの外面はシルクタンパク質でコーティングされている製造アミノ酸、ペプチド又は絹フィブロインシルクフィブロインアミノ酸は、また使用後に、細菌作用を防ぐ、より乾燥している肌に栄養を与え、皮膚の栄養と快適。
【００１７】
実施例6は、図6に、使い捨ての抗菌肌にやさしい製品は、新しいタイプのマスク11で、マスクの外表面全体が絹タンパク質複合コーティングの層12、絹タンパク質セリシンペプチド、セリシンでコーティングされている参照してくださいアミノ酸、ペプチド又は絹フィブロインシルクフィブロインアミノ酸、マスクの外面はシルクタンパク質でコーティングされて作ることはまた、細菌を防ぐため、UV吸収効果を皮膚に栄養を与えているが、使用後に、より乾燥したコンピュータの放射線、栄養皮膚と快適を防止することができる。
【符号の説明】
【００１８】
１      パッド
２      プロテイン複合コーティング
３      生理用ナプキン
４      プロテイン複合コーティング
５      おむつ
６      プロテイン複合コーティング
７      マットレス
８      絹タンパク質複合体被覆
９      マスク
１０    複合コーティング
１１    マスク
１２    絹タンパク質複合コーティング
１０１  面
１０２  層
１０３  アウター
３０１  表面層
３０２  吸収層
３０３  外側部品
７０１  表面層
７０２  吸収層
７０３  外側層
【図１】
0003192225.tif 000003
【図２】
0003192225.tif 000004
【図３】
0003192225.tif 000005
【図４】
0003192225.tif 000006
【図５】
0003192225.tif 000007
【図６】
0003192225.tif 000008
【手続補正書】
【提出日】平成26年5月29日(2014.5.29)
【手続補正１】
【補正対象書類名】実用新案登録請求の範囲
【補正対象項目名】全文
【補正方法】変更
【補正の内容】
【実用新案登録請求の範囲】
【請求項１】
本体を備える抗菌肌に優しい使い捨て製品であって、
前記本体の皮膚に接触する部分の外面又は前記本体の外面全体が、シルクプロテイン複合コーティングで被覆されていることを特徴とする抗菌肌に優しい使い捨て製品。
【請求項２】
前記本体が表面層、吸収層及び外側層からなる積層構造であり、前記吸収層は、前記外側層と前記表面層の間に配置されることを特徴とする請求項１に記載の抗菌肌に優しい使い捨て製品。
【請求項３】
前記表面層がエンボス加工されていることを特徴とする請求項２に記載の抗菌肌に優しい使い捨て製品。
【手続補正２】
【補正対象書類名】明細書
【補正対象項目名】全文
【補正方法】変更
【補正の内容】
【考案の詳細な説明】
【技術分野】
【０００１】
本考案は、生活用品の分野に関し、より具体的には抗菌肌に優しい使い捨て製品に関する。
【背景技術】
【０００２】
人々の生活水準が向上し続けており、生活用品はますます高い品質が要求されている。直接人々の皮膚と接触している肌にやさしい製品は、人々が日常生活で使用している。また、ますます深刻な大気汚染は、直接ユーザーに多くの問題を持たらす。低品質な女性のパッド、生理用ナプキン、などは、皮膚アレルギー、湿疹や他の皮膚疾患と同様、外陰部の炎症などを引き起こす。赤ちゃんの紙おむつなど低品質なものは、幼児や子供に痛みを伴う皮膚アレルギー、湿疹などの皮膚疾患や炎症につながるだけでなく、両親は非常に懸念している。長期寝たきりの患者や１歳の乳児などは、介護のパッドを使用する必要があり、タイムリーな交換をしなければ、不快な臭いを持つことになり、既存の介護パッドは吸収率がゆっくりで、吸収能力が低く、汚れがオーバーフローする恐れがあり、殺菌効果を果たすことができない。
【０００３】
シルクプロテインは、グリシン、アラニンを含むアミノ酸の１８種類が含まれてセリンが７０％を占めており、著名な機能的な栄養素である。広く医薬、食品、化粧品、皮革や生地に使用されている。シルクプロテイン複合コーティングは、高い栄養価を有するだけでなく、肌を保湿し、嫌気性菌を抑制し、肌に優しい製品に使用されれば、非常に肌に優しい使用効果を向上させることができる。
【考案の開示】
【考案が解決しようとする課題】
【０００４】
本考案は、従来技術の欠点を解消するためになされたもので、皮膚に栄養を与え、乾燥を防ぐために肌にやさしい、抗菌肌に優しい使い捨て製品を提供することを目的とする。
【課題を解決するための手段】
【０００５】
本考案の技術的解決手段は、次のとおりである。
本体を備える抗菌肌に優しい使い捨て製品であって、
シルクプロテイン複合コーティングで、前記本体の肌接触部分の外面又は前記本体の外面全体が被覆されていることを特徴とする抗菌肌に優しい使い捨て製品。
【０００６】
有利には、前記本体が表面層、吸収層及び外側層からなる積層構造であり、前記吸収層は、表面層と外側層の間に配置される。
【０００７】
有利には、前記表面層がエンボス加工されている。
【０００８】
有利には、前記吸収層が、吸水紙、パルプとポリマー吸収樹脂を含む。
【０００９】
本考案は、次のような利点があります。
本考案は、本体の肌接触部分の外面又は本体の外面全体にシルクプロテインの複合コーティングが被覆され、本体がパッド、生理用ナプキン、紙おむつ、マットレス、マスクまたはフェイスマスクであり、シルクプロテインでコーティングされ、皮膚に栄養を与え、肌にやさしい。
【図面の簡単な説明】
【００１０】
【図１】本考案に係るパッドの構造概略図である。
【図２】本考案に係る生理用ナプキンの構造概略図である。
【図３】本考案に係る紙おむつの構造概略図である。
【図４】本考案に係るマットレスの構造概略図である。
【図５】本考案に係るマスクの構造概略図である。
【図６】本考案に係るフェイスマスクの構造概略図である。
【考案を実施するための形態】
【００１１】
後述の本考案は、好ましい実施形態であり、本考案の範囲を限定するものではない。
【００１２】
実施例１は、図１の抗菌肌に優しい使い捨て製品が、新しいパッド１であって、パッド１は、皮膚に接触する部分の外面にシルクプロテインの複合コーティング２を被覆してもよく、外面全体にシルクプロテインの複合コーティングを被覆してもよい。シルクプロテインは、セリシンペプチド、セリシンアミノ酸、フィブロインペプチドまたはフィブロインアミノ酸である。パッド１は、表面層１０１、吸収層１０２および外側層１０３が形成された積層構造を有する。エンボス加工された表面層１０１は、吸収速度を向上させ、不要な洗浄を低減する。前記吸収層１０２は、前記表面層１０１と前記外側層１０３との間に配置され、吸水紙、パルプとポリマー吸収樹脂からなり、より多くの液体を吸収することができる。前記外側層１０３は、ＰＥフィルムであって、吸収層１０２内の液体漏れを防止する。前記表面層１０１及び外側層１０３がパッドの周縁部で機密接続される。シルクプロテインが肌に栄養を与えるために、アミノ酸が含まれており、ソフトタッチで、肌に優しく、好気性菌、酸生成菌の効果を阻害し、皮膚の栄養と快適性を提供する。
【００１３】
実施例２は、図２に示すように、抗菌肌に優しい使い捨て製品が、生理用ナプキン３であって、生理用ナプキン３の皮膚接触部分の外面にシルクプロテイン複合コーティング４を被覆してもよく、生理用ナプキン３の外面全体にシルクプロテインの複合コーティングを被覆してもよい。シルクプロテインは、セリシンペプチド、セリシンアミノ酸、フィブロインペプチドまたはフィブロインアミノ酸である。生理用ナプキン３は、表面層３０１、吸収層３０２および外側層３０３で構成された積層構造を有する。エンボス加工された表面層３０１は、不要な洗浄を低減させ、吸収速度を向上させる。前記吸収層３０２は、前記表面層３０１と前記外側層３０３との間に配置され、吸水紙、パルプとポリマー吸収樹脂からなり、より多くの液体を吸収することができる。前記外側層３０３は、ＰＥフィルムであって、前記吸収層３０２内の液漏れを防止する。前記表面層３０１と前記外側層３０３が生理用ナプキンの周縁部で機密接続される。新しい生理用ナプキンは、肌に優しく、嫌気性菌、酸生成菌の生成を防ぐ栄養を肌に与える。
【００１４】
実施例３は、図３に示すように、抗菌肌に優しい使い捨て製品が、新しい紙おむつ５であって、紙おむつ５の皮膚接触部分の外面にシルクプロテインの複合コーティング６を被覆してもよく、紙おむつ５の外表面全体にシルクプロテインの複合コーティング６を被覆してもよい。シルクプロテインは、セリシンペプチド、セリシンアミノ酸、フィブロインペプチドまたはフィブロインアミノ酸である。紙おむつ５の外面にシルクプロテインが被覆されている。紙おむつ５は、肌に優しく、抗菌効果が高く、幼児の皮膚に栄養を与える。
【００１５】
実施例４は、図４に示すように、抗菌肌に優しい使い捨て製品が、新しいマットレス７であって、マットレス７は、表面層７０１、吸収層７０２および外側層７０３から構成される積層構造を有する。前記表面層７０１にシルクプロテインの複合体被覆８が被覆され、表面層７０１はエンボス加工されている。前記吸収層７０２は、前記表面層７０１と前記外側層７０３との間に配置され、吸水紙、パルプとポリマー吸収樹脂からなり、より多くの液体を吸収することができる。前記外側層７０３は、ＰＥフィルムであって、前記吸収層７０２内の液漏れを防止する。前記表面層７０１と前記外側層７０３がマットレス７の周縁部で機密接続される。シルクプロテインは肌に栄養を与えるために、アミノ酸が含まれており、ソフトタッチで、肌にやさしい。エンボス加工された表面層７０１は、吸収速度を向上させ、不必要な洗浄を削減する。マットレス７は、寝たきり患者、高齢者、子供たちのために主に使用される。
【００１６】
実施例５は、図５に示すように、抗菌肌に優しい使い捨て製品が、新しいマスク９であって、マスク９の外表面全体がシルクプロテインの複合コーティング１０で被覆される。シルクプロテインは、セリシンペプチド、セリシンアミノ酸、フィブロインペプチドまたはフィブロインアミノ酸である。外面にシルクプロテインが被覆されたマスク９は、抗菌効果が高く、乾燥している肌に栄養を与え、快適性を与える。
【００１７】
実施例６は、図６に示すように、抗菌肌に優しい使い捨て製品が、新しいフェイスマスク１１であって、フェイスマスク１１の外表面全体がシルクプロテインの複合コーティング１２で被覆される。シルクプロテインは、セリシンペプチド、セリシンアミノ酸、フィブロインペプチドまたはフィブロインアミノ酸である。外面にシルクプロテインがコーティングされたフェイスマスク９は、抗菌効果およびＵＶ吸収効果が高く、パソコンからの電磁波を防止することができ、皮膚に栄養と快適性を与える。
【符号の説明】
【００１８】
１      パッド
２      シルクプロテイン複合コーティング
３      生理用ナプキン
４      シルクプロテイン複合コーティング
５      紙おむつ
６      シルクプロテイン複合コーティング
７      マットレス
８      シルクプロテイン複合コーティング
９      マスク
１０    シルクプロテイン複合コーティング
１１    フェイスマスク
１２    シルクプロテイン複合コーティング
１０１  表面層
１０２  吸収層
１０３  外側層
３０１  表面層
３０２  吸収層
３０３  外側層
７０１  表面層
７０２  吸収層
７０３  外側層